(57)【特許請求の範囲】
【請求項１】
目標場所と異なる高さに存在する移動元目標側踏み面の上方の位置と、上記移動元目標側踏み面よりも上記目標場所の高さから離れた位置に存在する移動元出発側踏み面の上方の位置とに亘って水平に配置される移動元梁と、上記移動元目標側踏み面の上方に位置する上記移動元梁の部分を支持する移動元目標側支持部と、上記移動元出発側踏み面の上方に位置する上記移動元梁の部分を支持する移動元出発側支持部とを有する移動元やぐらを設置する移動元やぐら設置工程、
上記移動元目標側踏み面よりも上記目標場所の高さに近い位置に存在する移動先目標側踏み面の上方の位置と、上記移動先目標側踏み面よりも上記目標場所の高さから離れた位置に存在する移動先出発側踏み面の上方の位置とに亘って水平に配置される移動先梁と、上記移動先目標側踏み面の上方に位置する上記移動先梁の部分を支持する移動先目標側支持部と、上記移動先出発側踏み面の上方に位置する上記移動先梁の部分を支持する移動先出発側支持部とを有する移動先やぐらを設置する移動先やぐら設置工程、
上記移動元梁に沿って移動可能となるように移動元揚重機を上記移動元梁に設ける移動元揚重機設置工程、
上記移動先梁に沿って移動可能となるように移動先揚重機を上記移動先梁に設ける移動先揚重機設置工程、
上記移動元やぐら設置工程及び上記移動元揚重機設置工程後、上記移動元揚重機に重量物を吊る重量物吊り工程、及び
階段の上方で上記重量物を吊ったまま上記移動元揚重機から上記移動先揚重機へ上記重量物を移す重量物移行工程
を備えている重量物運搬方法。
【請求項２】
上記移動元目標側支持部、上記移動元出発側支持部、上記移動先目標側支持部及び上記移動先出発側支持部は、支持柱であり、
上記移動先出発側支持部は、水平方向について上記移動元目標側支持部と上記移動元出発側支持部との間の位置に設置される請求項１に記載の重量物運搬方法。
【請求項３】
上記移動元目標側支持部、上記移動元出発側支持部、上記移動先目標側支持部及び上記移動先出発側支持部は、上記階段の幅方向について互いに離して配置される一対の支持柱と、各上記支持柱間に固定された支持梁とを有し、
上記移動先出発側支持部は、水平方向について上記移動元目標側支持部及び上記移動元出発側支持部のそれぞれよりも上記移動先目標側支持部に近い位置に設置される請求項１に記載の重量物運搬方法。
【請求項４】
上記移動元揚重機及び上記移動先揚重機のそれぞれは、揚重機本体と、上記揚重機本体によって上下に移動可能に吊られたフックを有し、
上記移動元揚重機及び上記移動先揚重機のそれぞれは、上記重量物に連結されたシャックルに上記フックを掛けた状態で上記重量物を吊る請求項１〜請求項３のいずれか一項に記載の重量物運搬方法。
【請求項５】
下段側上位踏み面の上方の位置と、上記下段側上位踏み面よりも低い位置に存在する下段側下位踏み面の上方の位置とに亘って水平に配置された下段梁と、上記下段側上位踏み面の上方に位置する上記下段梁の部分を支持する下段側上位支持部と、上記下段側下位踏み面の上方に位置する上記下段梁の部分を支持する下段側下位支持部とを有する下段やぐら、
上記下段側上位踏み面よりも高い位置に存在する上段側上位踏み面の上方の位置と、上記上段側上位踏み面よりも低い位置に存在する上段側下位踏み面の上方の位置とに亘って水平に配置される上段梁と、上記上段側上位踏み面の上方に位置する上記上段梁の部分を支持する上段側上位支持部と、上記上段側下位踏み面の上方に位置する上記上段梁の部分を支持する上段側下位支持部とを有する上段やぐら、
上記下段梁に沿って移動可能となるように上記下段梁に設けられた下段揚重機、及び
上記上段梁に沿って移動可能となるように上記上段梁に設けられた上段揚重機
を備え、
重量物を吊ったまま上記下段揚重機及び上記上段揚重機の一方から他方へ上記重量物を移すことが可能になっている重量物運搬装置。
【発明の詳細な説明】
【技術分野】
【０００１】
この発明は、重量物を運搬する重量物運搬方法、及び重量物運搬装置に関するものである。
【背景技術】
【０００２】
例えばエレベータのリニューアルを行う場合には、巻上機及び制御盤等の重量物を機械室に運び入れる作業がしばしば生じる。古い建物では、かごの到達可能な最上階よりもさらに上に機械室が設けられていることが多く、機械室に重量物を運び入れるために、最上階から機械室に通じる階段を使うしかない場合が多い。
【０００３】
例えば、巻上機の重量は、３００ｋｇから、場合によっては８００ｋｇにも及ぶこともある。従って、人力のみで重量物を持ち上げながら最上階から階段を通って機械室まで重量物を運ぶことは不可能である。
【０００４】
従来、重量物を運搬するために、架台に水平に取り付けられた案内レールに台車を走行可能に設け、重量物を吊るチェーンブロックを台車に取り付けた可搬式揚重装置が提案されている（例えば特許文献１参照）。
【先行技術文献】
【特許文献】
【０００５】
【特許文献１】特開２００７−１５３５２１号公報
【発明の概要】
【発明が解決しようとする課題】
【０００６】
しかし、このような従来の可搬式揚重装置を用いて階段での重量物の運搬を行う場合、例えば建物の天井高さが低くなっていたり、階段に沿って天井が傾斜していたりすると、案内レールを目標場所まで設置することができなくなってしまい、可搬式揚重装置による重量物の一回の運搬では目標場所に重量物を到達させることができない。従って、チェーンブロックで吊りながら移動させた重量物を階段に一旦置いた後、目標場所に近づく方向へ可搬式揚重装置を移動させ、チェーンブロックで重量物を再度吊って移動させるという作業を、複数回行う必要がある。このことから、重量物の運搬作業に手間がかかってしまう。
【０００７】
この発明は、上記のような課題を解決するためになされたものであり、重量物の運搬作業の手間を軽減することができる重量物運搬方法、及び重量物運搬装置を得ることを目的とする。
【課題を解決するための手段】
【０００８】
この発明に係る重量物運搬方法は、目標場所と異なる高さに存在する移動元目標側踏み面の上方の位置と、移動元目標側踏み面よりも目標場所の高さから離れた位置に存在する移動元出発側踏み面の上方の位置とに亘って水平に配置される移動元梁と、移動元目標側踏み面の上方に位置する移動元梁の部分を支持する移動元目標側支持部と、移動元出発側踏み面の上方に位置する移動元梁の部分を支持する移動元出発側支持部とを有する移動元やぐらを設置する移動元やぐら設置工程、移動元目標側踏み面よりも目標場所の高さに近い位置に存在する移動先目標側踏み面の上方の位置と、移動先目標側踏み面よりも目標場所の高さから離れた位置に存在する移動先出発側踏み面の上方の位置とに亘って水平に配置される移動先梁と、移動先目標側踏み面の上方に位置する移動先梁の部分を支持する移動先目標側支持部と、移動先出発側踏み面の上方に位置する移動先梁の部分を支持する移動先出発側支持部とを有する移動先やぐらを設置する移動先やぐら設置工程、移動元梁に沿って移動可能となるように移動元揚重機を移動元梁に設ける移動元揚重機設置工程、移動先梁に沿って移動可能となるように移動先揚重機を移動先梁に設ける移動先揚重機設置工程、移動元やぐら設置工程及び移動元揚重機設置工程後、移動元揚重機に重量物を吊る重量物吊り工程、及び階段の上方で重量物を吊ったまま移動元揚重機から移動先揚重機へ重量物を移す重量物移行工程を備えている。
【０００９】
この発明に係る重量物運搬装置は、下段側上位踏み面の上方の位置と、下段側上位踏み面よりも低い位置に存在する下段側下位踏み面の上方の位置とに亘って水平に配置された下段梁と、下段側上位踏み面の上方に位置する下段梁の部分を支持する下段側上位支持部と、下段側下位踏み面の上方に位置する下段梁の部分を支持する下段側下位支持部とを有する下段やぐら、下段側上位踏み面よりも高い位置に存在する上段側上位踏み面の上方の位置と、上段側上位踏み面よりも低い位置に存在する上段側下位踏み面の上方の位置とに亘って水平に配置される上段梁と、上段側上位踏み面の上方に位置する上段梁の部分を支持する上段側上位支持部と、上段側下位踏み面の上方に位置する上段梁の部分を支持する上段側下位支持部とを有する上段やぐら、下段梁に沿って移動可能となるように下段梁に設けられた下段揚重機、及び上段梁に沿って移動可能となるように上段梁に設けられた上段揚重機を備え、重量物を吊ったまま下段揚重機及び上段揚重機の一方から他方へ重量物を移すことが可能になっている。
【発明の効果】
【００１０】
この発明に係る重量物運搬方法、及び重量物運搬装置によれば、階段の上方で重量物を吊ったまま一方の揚重機から他方の揚重機へ重量物を移すので、重量物を運搬するときに、揚重機で吊っている重量物を階段に一旦置くことなく一方の揚重機から他方の揚重機へ重量物を移しながら重量物を運搬することができる。これにより、重量物の運搬作業の手間を軽減することができる。
【図面の簡単な説明】
【００１１】
【図１】この発明の実施の形態１による重量物運搬方法を行うための重量物運搬装置が階段に設置されている状態を示す側面図である。
【図２】図１の下段やぐらを示す斜視図である。
【図３】図１の巻上機を下段チェーンブロックで吊っている状態を示す正面図である。
【図４】図３のシャックルにフックが掛けられている状態を示す拡大図である。
【図５】図１の下段チェーンブロックに吊られた巻上機のシャックルに上段チェーンブロックのフックが掛けられている状態を示す側面図である。
【図６】図５の下段チェーンブロック及び上段チェーンブロックのそれぞれのフックが巻上機のシャックルに掛けられている状態を示す拡大図である。
【図７】図６の下段チェーンブロック及び上段チェーンブロックのそれぞれの可動チェーンが動かされている状態を示す拡大図である。
【図８】図７の下段チェーンブロックのフックがシャックルから外されるときの状態を示す拡大図である。
【図９】この発明の実施の形態２による重量物運搬方法を行うための重量物運搬装置が階段に設置されている状態を示す側面図である。
【図１０】図９の下段やぐらを示す斜視図である。
【図１１】図９の下段チェーンブロックから上段チェーンブロックへ巻上機を移すときの状態を示す側面図である。
【発明を実施するための形態】
【００１２】
実施の形態１．
図１は、この発明の実施の形態１による重量物運搬方法を行うための重量物運搬装置が階段に設置されている状態を示す側面図である。図において、階段１は、互いに異なる高さに存在する複数の踏み面２を有している。各踏み面２の位置は、階段１の下部から上部に向かって水平方向へずれながら順次高くなる位置にそれぞれ設定されている。階段１の上部及び下部の一方を出発場所、他方を目標場所に設定し、出発場所から目標場所に向かって重量物（例えばエレベータの巻上機又は制御盤等）を運搬するときには、重量物運搬装置が階段１に設置される。
【００１３】
重量物運搬装置は、下段やぐら３と、上段やぐら４と、下段やぐら３に設けられた下段チェーンブロック（下段揚重機）５と、上段やぐら４に設けられた上段チェーンブロック（上段揚重機）６とを有している。
【００１４】
ここで、図２は、図１の下段やぐら３を示す斜視図である。下段やぐら３は、図１及び図２に示すように、水平に配置された下段梁１１と、下段梁１１の一端部１１ａを支持する下段側上位支持部１２と、下段梁１１の他端部１１ｂを支持する下段側下位支持部１３とを有している。
【００１５】
下段梁１１の一端部１１ａは、階段１の上部及び下部と異なる高さに存在する踏み面２である下段側上位踏み面２ｃの上方の位置に配置されている。下段梁１１の他端部１１ｂは、下段側上位踏み面２ｃよりも低い位置に存在する踏み面２である下段側下位踏み面２ａの上方の位置に配置されている。下段梁１１は、下段側上位踏み面２ｃの上方の位置と、下段側下位踏み面２ａの上方の位置とに亘って水平に配置されている。
【００１６】
下段側上位支持部１２は下段側上位踏み面２ｃに設置された支持柱であり、下段側下位支持部１３は下段側下位踏み面２ａに設置された支持柱である。下段側上位支持部１２の上端部には下段梁１１の一端部１１ａが固定され、下段側下位支持部１３の上端部には下段梁１１の他端部１１ｂが固定されている。これにより、下段側上位支持部１２及び下段側下位支持部１３は、下段梁１１の長手方向について互いに離して配置されている。また、下段側下位支持部１３の高さ寸法は、下段梁１１が水平に配置されるように、下段側下位踏み面２ａと下段側上位踏み面２ｃとの高低差に合わせて下段側上位支持部１２の高さ寸法よりも大きくなっている。
【００１７】
上段やぐら４は、水平に配置された上段梁２１と、上段梁２１の一端部２１ａを支持する上段側上位支持部２２と、上段梁２１の他端部２１ｂを支持する上段側下位支持部２３とを有している。
【００１８】
上段梁２１の一端部２１ａは、下段側上位踏み面２ｃよりも高い位置に存在する踏み面２である上段側上位踏み面２ｄの上方の位置に配置されている。上段梁２１の他端部２１ｂは、上段側上位踏み面２ｄよりも低い位置に存在する踏み面２である上段側下位踏み面２ｂの上方の位置に配置されている。上段梁２１は、上段側上位踏み面２ｄの上方の位置と、上段側下位踏み面２ｂの上方の位置とに亘って水平に配置されている。
【００１９】
上段側上位支持部２２は上段側上位踏み面２ｄに設置された支持柱であり、上段側下位支持部２３は上段側下位踏み面２ｂに設置された支持柱である。上段側上位支持部２２の上端部には上段梁２１の一端部２１ａが固定され、上段側下位支持部２３の上端部には上段梁２１の他端部２１ｂが固定されている。これにより、上段側上位支持部２２及び上段側下位支持部２３は、上段梁２１の長手方向について互いに離して配置されている。また、上段側下位支持部２３の高さ寸法は、上段梁２１が水平に配置されるように、上段側下位踏み面２ｂと上段側上位踏み面２ｄとの高低差に合わせて上段側上位支持部２２の高さ寸法よりも大きくなっている。
【００２０】
この例では、上段側下位踏み面２ｂの位置が下段側上位踏み面２ｃと下段側下位踏み面２ａとの間の高さの位置となっており、下段側上位踏み面２ｃの位置が上段側上位踏み面２ｄと上段側下位踏み面２ｂとの間の高さの位置となっている。従って、この例では、上段側下位支持部２３が水平方向について下段側上位支持部１２と下段側下位支持部１３との間の位置に設置され、下段側上位支持部１２が水平方向について上段側上位支持部２２と上段側下位支持部２３との間の位置に設置されている。
【００２１】
また、この例では、下段やぐら３と上段やぐら４とが階段１の幅方向について互いにずらして配置されている。これにより、上段梁２１と下段側上位支持部１２との干渉、及び下段梁１１と上段側下位支持部２３との干渉がそれぞれ回避される。
【００２２】
下段梁１１には、下段スライダ１４が下段梁１１の長手方向に沿ってスライド可能に取り付けられている。下段チェーンブロック５は、下段スライダ１４を介して下段梁１１に吊られている。これにより、下段チェーンブロック５は、下段梁１１の長手方向に沿って移動可能に下段梁１１に設けられている。
【００２３】
上段梁２１には、上段スライダ２４が上段梁２１の長手方向に沿ってスライド可能に取り付けられている。上段チェーンブロック６は、上段スライダ２４を介して上段梁２１に吊られている。これにより、上段チェーンブロック６は、上段梁２１の長手方向に沿って移動可能に上段梁２１に設けられている。
【００２４】
下段チェーンブロック５及び上段チェーンブロック６は、チェーンブロック本体（揚重機本体）３１と、チェーンブロック本体３１から可動チェーン３２を介して吊られたフック３３とをそれぞれ有している。フック３３は、チェーンブロック本体３１に対する可動チェーン３２の移動によりチェーンブロック本体３１に対して上下に移動可能になっている。下段チェーンブロック５及び上段チェーンブロック６のそれぞれは、重量物である巻上機７をフック３３で吊ることが可能になっている。
【００２５】
図３は、図１の巻上機７を下段チェーンブロック５で吊っている状態を示す正面図である。巻上機７の上部の左右部分には、リング状部７ａを持つ吊りボルト（アイボルト）がそれぞれ固定されている。巻上機７には、各リング状部７ａに通された共通の玉掛けワイヤロープ４１を介してシャックル４２が連結されている。下段チェーンブロック５及び上段チェーンブロック６のそれぞれは、巻上機７に連結されたシャックル４２にフック３３を掛けた状態で巻上機７を吊るようになっている。
【００２６】
ここで、図４は、図３のシャックル４２にフック３３が掛けられている状態を示す拡大図である。シャックル４２は、Ｕ字状のシャックル本体４３と、シャックル本体４３の両端部にそれぞれ設けられた２つの通し穴に通される共通のボルト（棒状部材）４４と、ボルト４４のねじ部に螺合されて、シャックル本体４３からボルト４４が抜けることを防止するナット４５とを有している。玉掛けワイヤロープ４１の両端部には、輪（アイ）４１ａがそれぞれ形成されている。シャックル４２は、巻上機７の各リング状部７ａに玉掛けワイヤロープ４１が通された状態で、シャックル本体４３の一方の通し穴、２つの輪４１ａ及び他方の通し穴の順にボルト４４を通した後、ボルト４４のねじ部にナット４５を螺合することにより、玉掛けワイヤロープ４１に繋げられる。フック３３は、シャックル本体４３に掛けられる。
【００２７】
重量物運搬装置では、下段チェーンブロック５及び上段チェーンブロック６のうち、一方のチェーンブロックに巻上機７を吊った状態で、他方のチェーンブロックのフック３３を巻上機７のシャックル４２に掛け、一方及び他方のチェーンブロックのそれぞれの可動チェーン３２を動かしながら、巻上機７を吊った状態を一方のチェーンブロックから他方のチェーンブロックに移した後、一方のチェーンブロックのフック３３を巻上機７のシャックル４２から外すことにより、巻上機７を吊ったまま一方のチェーンブロックから他方のチェーンブロックへ巻上機７を移すことが可能になっている。
【００２８】
次に、階段１の下部に設定された出発場所から、階段１の上部（即ち、出発場所よりも高い位置）に設定された目標場所に向かって重量物である巻上機７を運搬するときの重量物運搬方法について説明する。
【００２９】
この場合、各踏み面２の位置の高さが低くなるほど目標場所の高さから離れ、各踏み面２の位置の高さが高くなるほど目標場所の高さに近づくこととなる。また、この場合、巻上機７は、階段１の下段側から上段側に向かって運搬されることとなる。従って、この場合には、下段やぐら３及び下段チェーンブロック５が巻上機７の移動元に対応する構成となり、上段やぐら４及び上段チェーンブロック６が巻上機７の移動先に対応する構成となる。
【００３０】
階段１の下部に設定された出発場所から、階段１の上部に設定された目標場所に向かって巻上機７を運搬するときには、まず、下段やぐら（移動元やぐら）３を階段１に設置する。このとき、目標場所と異なる高さに存在する下段側上位踏み面（移動元目標側踏み面）２ｃに下段側上位支持部（移動元目標側支持部）１２を設置するとともに、下段側上位踏み面２ｃよりも目標場所の高さから離れた位置（即ち、下方）に存在する下段側下位踏み面（移動元出発側踏み面）２ａに下段側下位支持部（移動元出発側支持部）１３を設置する。また、このとき、下段梁（移動元梁）１１が階段１の上方で水平に配置されるように、下段側上位支持部１２及び下段側下位支持部１３のそれぞれの高さを調整する（移動元やぐら設置工程）。
【００３１】
この後、上段やぐら（移動先やぐら）４を階段１に設置する。このとき、下段側上位踏み面２ｃよりも目標場所の高さに近い位置（目標場所の高さと同一の位置も含む）に存在する上段側上位踏み面（移動先目標側踏み面）２ｄに上段側上位支持部（移動先目標側支持部）２２を設置するとともに、上段側上位踏み面２ｄ及び下段側上位踏み面２ｃのそれぞれよりも目標場所の高さから離れた位置に存在する上段側下位踏み面（移動先出発側踏み面）２ｂに上段側下位支持部（移動先出発側支持部）２３を設置する。また、このとき、上段梁（移動先梁）２１が階段１の上方で水平に配置されるように、上段側上位支持部２２及び上段側下位支持部２３のそれぞれの高さを調整する。さらに、このとき、下段やぐら３及び上段やぐら４が互いに干渉しないように、下段やぐら３及び上段やぐら４を階段１の幅方向についてずらして階段１に設置する（移動先やぐら設置工程）。
【００３２】
この後、下段やぐら３の下段梁１１に下段スライダ（移動元スライダ）１４を介して下段チェーンブロック（移動元揚重機）５を取り付ける。即ち、下段梁１１に沿って移動可能となるように下段梁１１に下段チェーンブロック５を設ける（移動元揚重機設置工程）。
【００３３】
この後、上段やぐら４の上段梁２１に上段スライダ（移動先スライダ）２４を介して上段チェーンブロック（移動先揚重機）６を取り付ける。即ち、上段梁２１に沿って移動可能となるように上段梁２１に上段チェーンブロック６を設ける（移動先揚重機設置工程）。
【００３４】
このように、移動元やぐら設置工程、移動先やぐら設置工程、移動元揚重機設置工程及び移動先揚重機設置工程を行うことにより、図１に示す重量物運搬装置を階段１に設置する。
【００３５】
この後、下段チェーンブロック５の可動チェーン３２を動かしながらフック３３を下ろして、玉掛けワイヤロープ４１を介して巻上機７に連結しておいたシャックル４２に下段チェーンブロック５のフック３３を掛ける。この後、下段チェーンブロック５の可動チェーン３２を動かしながらフック３３を引き上げて、図１に示すように、下段チェーンブロック５に巻上機７を吊る（重量物吊り工程）。
【００３６】
この後、下段チェーンブロック５に巻上機７を階段１の上方で吊ったまま、目標場所に近づく方向（即ち、上段やぐら４に近づく方向）へ下段チェーンブロック５を下段梁１１に沿って移動させる。このとき、上段側下位支持部２３よりも上段側上位支持部２２に近い所まで下段チェーンブロック５を巻上機７とともに移動させる。また、このとき、下段側上位支持部１２よりも下段側下位支持部１３に近い所まで上段チェーンブロック６を上段梁２１に沿って移動させて、上段チェーンブロック６の位置を下段チェーンブロック５の位置に近づけておく。
【００３７】
この後、図５及び図６に示すように、下段チェーンブロック５に巻上機７を階段１の上方で吊ったまま、巻上機７に連結されたシャックル４２に上段チェーンブロック６のフック３３を掛ける。この後、図７に示すように、下段チェーンブロック５に巻上機７を階段１の上方で吊ったまま、下段チェーンブロック５のフック３３がチェーンブロック本体３１から離れる方向へ下段チェーンブロック５の可動チェーン３２を移動させながら、上段チェーンブロック６のフック３３を引き上げて、上段チェーンブロック６のフック３３に巻上機７を吊った状態とする。この後、図８に示すように、下段チェーンブロック５のフック３３をシャックル４２から外す。これにより、階段１の上方で巻上機７が吊られたまま下段チェーンブロック５から上段チェーンブロック６へ巻上機７が移されて、上段チェーンブロック６に巻上機７が吊られた状態となる（重量物移行工程）。
【００３８】
この後、上段チェーンブロック６に巻上機７を階段１の上方で吊ったまま、目標場所に近づく方向へ上段チェーンブロック６を上段梁２１に沿って移動させる。この作業によって巻上機７が目標場所の高さに到達する場合には、上段チェーンブロック６の可動チェーン３２を動かして、目標場所の高さに存在する踏み面に巻上機７を下ろす。また、この作業によっても巻上機７が目標場所の高さに到達しない場合には、上段やぐら４よりも目標場所に近い位置に追加のやぐらを設置するとともに、追加のやぐらに追加のチェーンブロックを設け、上段やぐら４を移動元やぐら、上段チェーンブロック６を移動元チェーンブロック（移動元揚重機）とし、追加のやぐらを移動先やぐら、追加のチェーンブロックを移動先チェーンブロック（移動先揚重機）として、階段１の上方で巻上機７を吊ったまま、上記と同様の作業を繰り返す。このようにして、階段１の下部の高さに設定された出発場所から、階段１の上部の高さに設定された目標場所に向けて巻上機７を運搬する。
【００３９】
一方、階段１の上部に設定された出発場所から、階段１の下部（即ち、出発場所よりも低い位置）に設定された目標場所に向かって重量物である巻上機７を運搬するときには、巻上機７は、階段１の上段側から下段側に向かって運搬されることとなる。これにより、この場合には、上段やぐら４及び上段チェーンブロック６が巻上機７の移動元に対応する構成となり、下段やぐら３及び下段チェーンブロック５が巻上機７の移動先に対応する構成となる。即ち、この場合には、上段やぐら４が移動元やぐら、上段チェーンブロック６が移動元揚重機となり、下段やぐら３が移動先やぐら、下段チェーンブロック５が移動先揚重機となる。また、この場合、上段側上位踏み面２ｄが移動元出発側踏み面、上段側下位踏み面２ｂが移動元目標側踏み面となり、下段側上位踏み面２ｃが移動先出発側踏み面、下段側下位踏み面２ａが移動先目標側踏み面となる。
【００４０】
階段１の上部に設定された出発場所から、階段１の下部に設定された目標場所に向かって重量物である巻上機７を運搬するときにも、移動元やぐら設置工程、移動先やぐら設置工程、移動元揚重機設置工程及び移動先揚重機設置工程を行うことにより重量物運搬装置を階段１に設置する。
【００４１】
この後、巻上機７に連結しておいたシャックル４２に、移動元揚重機である上段チェーンブロック６のフック３３を掛けて、上段チェーンブロック６に巻上機７を吊る（重量物吊り工程）。
【００４２】
この後、上段チェーンブロック６に巻上機７を階段１の上方で吊ったまま、目標場所に近づく方向（即ち、下段やぐら３に近づく方向）へ上段チェーンブロック６を上段梁（移動元梁）２１に沿って移動させる。このとき、下段側上位支持部（移動先出発側支持部）１２よりも上段側下位支持部（移動元目標側支持部）２３に近い所まで上段チェーンブロック６を巻上機７とともに移動させるとともに、上段チェーンブロック６を移動させた所まで下段チェーンブロック５を下段梁１１に沿って移動させておく。
【００４３】
巻上機７を下段側から上段側へ運搬するときと同様にして、階段１の上方で巻上機７を吊ったまま、上段チェーンブロック６から下段チェーンブロック５へ巻上機７を移して、下段チェーンブロック５に巻上機７を吊った状態とする（重量物移行工程）。
【００４４】
この後、下段チェーンブロック５に巻上機７を階段１の上方で吊ったまま、目標場所に近づく方向へ下段チェーンブロック５を下段梁１１に沿って移動させる。この作業によって巻上機７が目標場所の高さに到達する場合には、下段チェーンブロック５の可動チェーン３２を動かして、目標場所の高さに存在する踏み面に巻上機７を下ろす。また、この作業によっても巻上機７が目標場所に到達しない場合には、下段やぐら３よりも目標場所に近い位置に追加のやぐらを設置するとともに、追加のやぐらに追加のチェーンブロックを設け、下段やぐら３を移動元やぐら、下段チェーンブロック５を移動元チェーンブロック（移動元揚重機）とし、追加のやぐらを移動先やぐら、追加のチェーンブロックを移動先チェーンブロック（移動先揚重機）として、巻上機７を吊ったまま、上記と同様の作業を繰り返す。このようにして、階段１の上部の高さに設定された出発場所から、階段１の下部の高さに設定された目標場所に向けて巻上機７を運搬する。
【００４５】
このような重量物運搬方法、及び重量物運搬装置では、階段１の上方で巻上機７を吊ったまま下段チェーンブロック５及び上段チェーンブロック６の一方から他方へ巻上機７を移すので、巻上機７を運搬するときに、チェーンブロックで吊っている巻上機７を階段１に一旦置くことなく下段チェーンブロック５と上段チェーンブロック６との間で巻上機７を移しながら巻上機７を運搬することができる。これにより、チェーンブロックで吊っている巻上機１を階段１に一旦置いて、別のチェーンブロックで巻上機７を再度吊るという作業をなくすことができ、重量物である巻上機７の運搬作業の手間を軽減することができる。
【００４６】
また、上段側下位支持部２３が水平方向について下段側上位支持部１２と下段側下位支持部１３との間の位置に設置され、下段側上位支持部１２が水平方向について上段側上位支持部２２と上段側下位支持部２３との間の位置に設置されており、下段側上位支持部１２、下段側下位支持部１３、上段側上位支持部２２及び上段側下位支持部２３が支持柱になっているので、下段梁１１が配置された範囲と、上段梁２１が配置された範囲とを、水平方向について一部重ねることができる。これにより、下段チェーンブロック５及び上段チェーンブロック６のそれぞれを水平方向について同位置に移動させることができ、巻上機７を吊ったまま下段チェーンブロック５と上段チェーンブロック６との間で巻上機７を移すことを容易にすることができる。
【００４７】
また、下段チェーンブロック５及び上段チェーンブロック６のそれぞれは、チェーンブロック本体３１と、チェーンブロック本体３１によって上下に移動可能に吊られたフック３３とを有し、重量物である巻上機７に連結されたシャックル４２にフック３３を掛けた状態で巻上機７を吊るので、下段チェーンブロック５及び上段チェーンブロック６のそれぞれに巻上機７を吊りやすくすることができ、巻上機７を吊ったまま下段チェーンブロック５及び上段チェーンブロック６の一方から他方へ巻上機７を移すことも容易にすることができる。
【００４８】
実施の形態２．
図９は、この発明の実施の形態２による重量物運搬方法を行うための重量物運搬装置が階段に設置されている状態を示す側面図である。図において、下段やぐら３は、下段梁１１と、下段梁１１の一端部１１ａを支持する下段側上位支持部５２と、下段梁１１の他端部１１ｂを支持する下段側下位支持部５３とを有している。下段梁１１の構成は、実施の形態１と同様である。
【００４９】
下段側上位支持部５２は下段側上位踏み面２ｃに設置され、下段側下位支持部５３は、下段側上位踏み面２ｃよりも低い位置に存在する下段側下位踏み面２ａに設置されている。下段側下位支持部５３の高さ寸法は、下段梁１１が水平に配置されるように、下段側下位踏み面２ａと下段側上位踏み面２ｃとの高低差に合わせて下段側上位支持部５２の高さ寸法よりも大きくなっている。
【００５０】
上段やぐら４は、上段梁２１と、上段梁２１の一端部２１ａを支持する上段側上位支持部６２と、上段梁２１の他端部２１ｂを支持する上段側下位支持部６３とを有している。上段梁２１の構成は、実施の形態１と同様である。
【００５１】
上段側上位支持部６２は、下段側上位踏み面２ｃよりも高い位置に存在する上段側上位踏み面２ｄに設置され、上段側下位支持部６３は、上段側上位踏み面２ｄよりも低い位置に存在する上段側下位踏み面２ｂに設置されている。上段側下位支持部６３の高さ寸法は、上段梁２１が水平に配置されるように、上段側下位踏み面２ｂと上段側上位踏み面２ｄとの高低差に合わせて上段側上位支持部６２の高さ寸法よりも大きくなっている。
【００５２】
この例では、上段側下位踏み面２ｂの位置が、下段側上位踏み面２ｃよりも高い位置となっている。これにより、この例では、上段側下位支持部６３の位置が、水平方向について下段側上位支持部５２及び下段側下位支持部５３のそれぞれよりも上段側上位支持部６２に近い位置となっている。即ち、この例では、下段やぐら３と上段やぐら４とが水平方向について互いに離して設置されている。また、この例では、階段１を真上から見たとき、下段梁１１と上段梁２１とが直線上に並ぶように下段やぐら３と上段やぐら４とが階段１に設置されている。
【００５３】
図１０は、図９の下段やぐら３を示す斜視図である。下段側上位支持部５２及び下段側下位支持部５３のそれぞれは、階段１の幅方向について互いに離して配置された一対の支持柱５４と、一対の支持柱５４の上端部間に水平に固定され、下段梁１１が固定された支持梁５５とを有している。下段梁１１の一端部１１ａは下段側上位支持部５２の支持梁５５の中間部に固定され、下段梁１１の他端部１１ｂは下段側下位支持部５３の支持梁５５の中間部に固定されている。
【００５４】
上段側上位支持部６２及び上段側下位支持部６３のそれぞれは、階段１の幅方向について互いに離して配置された一対の支持柱６４と、一対の支持柱６４の上端部間に水平に固定され、上段梁２１が固定された支持梁６５とを有している。上段梁２１の一端部２１ａは上段側上位支持部６２の支持梁６５の中間部に固定され、上段梁２１の他端部２１ｂは上段側下位支持部６３の支持梁６５の中間部に固定されている。他の構成は実施の形態１と同様である。また、巻上機７を運搬するときの手順は、巻上機７を吊ったまま下段チェーンブロック５及び上段チェーンブロック６の一方から他方へ巻上機７を移す重量物移行工程を除いて、実施の形態１と同様である。
【００５５】
図１１は、図９の下段チェーンブロック５から上段チェーンブロック６へ巻上機７を移すときの状態を示す側面図である。下段チェーンブロック５から上段チェーンブロック６へ巻上機７を移すときの重量物移行工程では、上段チェーンブロック６のチェーンブロック本体３１から引き出した可動チェーン３２を上段側下位支持部６３の一対の支持柱６４間、及び下段側上位支持部５２の一対の支持柱５４間に通した状態で、巻上機７のシャックル４２に上段チェーンブロック６のフック３３を掛ける。この後、下段チェーンブロック５に巻上機７を階段１の上方で吊ったまま、下段チェーンブロック５の可動チェーン３２をチェーンブロック本体３１から引き出しながら、上段チェーンブロック６のフック３３を引き上げて、上段チェーンブロック６のフック３３に巻上機７を吊った状態とする。このようにして、階段１の上方で巻上機７を吊ったまま下段チェーンブロック５から上段チェーンブロック６へ巻上機７を移す。上段チェーンブロック６から下段チェーンブロック５へ巻上機７を移すときも同様の作業を行う。
【００５６】
このように、下段やぐら３と上段やぐら４とが水平方向について互いに離して設置され、下段側上位支持部５２、下段側下位支持部５３、上段側上位支持部６２及び上段側下位支持部６３が、階段１の幅方向について互いに離して配置された一対の支持柱５４，６４と、一対の支持柱５４，６４の上端部間に水平に固定された支持梁５５，６５とを有しているので、下段側上位支持部５２の一対の支持柱５４間、及び上段側下位支持部６３の一対の支持柱６４間に、下段チェーンブロック５及び上段チェーンブロック６のそれぞれの可動チェーン３２を通しながら、下段チェーンブロック５及び上段チェーンブロック６の一方から他方へ巻上機７を移すことができる。これにより、階段１の上方で巻上機７を吊ったままの状態で下段側上位支持部５２及び上段側下位支持部６３を避けて巻上機７を移動させることができ、下段チェーンブロック５及び上段チェーンブロック６の一方から他方へ巻上機７を移すことを容易にすることができる。また、下段やぐら３と上段やぐら４とが水平方向について互いに離して設置されているので、巻上機７を吊ったまま下段チェーンブロック５及び上段チェーンブロック６の一方から他方へ巻上機７を移すときの距離を大きくすることができ、巻上機７の運搬距離を拡大することができる。
【００５７】
なお、各上記実施の形態では、移動元やぐら設置工程、移動先やぐら設置工程、移動元揚重機設置工程及び移動先揚重機設置工程の順に各工程を行うことにより重量物運搬装置が階段１に設置されるようになっているが、移動元やぐら設置工程、移動先やぐら設置工程、移動元揚重機設置工程及び移動先揚重機設置工程は、どのような順番で行ってもよい。例えば、移動元やぐら設置工程、移動元揚重機設置工程、移動先やぐら設置工程及び移動先揚重機設置工程の順に行ってもよい。
【００５８】
また、追加のやぐらを階段１に設置するときには、下段やぐら３及び上段やぐら４のうち、目標場所から離れた位置に設置されているやぐらを運んで追加のやぐらとして階段１に設置してもよい。さらに、追加のやぐらに追加のチェーンブロックを設けるときには、下段チェーンブロック５及び上段チェーンブロック６のうち、追加のやぐらとして運ばれたやぐらに設けられていたチェーンブロックを追加のチェーンブロックとしてもよい。このようにすれば、巻上機７の運搬時に下段やぐら３、上段やぐら４、下段チェーンブロック５及び上段チェーンブロック６を繰り返し用いることができ、部品点数の削減を図ることができる。
【００５９】
また、各上記実施の形態では、移動元やぐら設置工程、移動先やぐら設置工程、移動元揚重機設置工程及び移動先揚重機設置工程を行った後に、重量物吊り工程を行うようになっているが、移動元やぐら設置工程及び移動元揚重機設置工程後、移動先やぐら設置工程及び移動先揚重機設置工程の前に、重量物吊り工程を行ってもよい。
【符号の説明】
【００６０】
２ａ〜２ｄ  踏み面、３  下段やぐら、４  上段やぐら、５  下段チェーンブロック（下段揚重機）、６  上段チェーンブロック（上段揚重機）、７  巻上機（重量物）、１１  下段梁、１２，５２  下段側上位支持部、１３，５３  下段側下位支持部、２１  上段梁、２２，６２  上段側上位支持部、２３，６３  上段側下位支持部、３１  チェーンブロック本体（揚重機本体）、３３  フック、４２  シャックル、５４  支持柱、５５  支持梁、６４  支持柱、６５  支持梁。
【図１】
0006012578.tif 000002
【図２】
0006012578.tif 000003
【図３】
0006012578.tif 000004
【図４】
0006012578.tif 000005
【図５】
0006012578.tif 000006
【図６】
0006012578.tif 000007
【図７】
0006012578.tif 000008
【図８】
0006012578.tif 000009
【図９】
0006012578.tif 000010
【図１０】
0006012578.tif 000011
【図１１】
0006012578.tif 000012